(57)【特許請求の範囲】
【請求項１】
発泡合成樹脂を用いて断面略角形に押出し成形された瓦桟であって、この瓦桟の上面で幅方向の中央位置に凸条と下面の幅方向中央位置に凹溝を長さ方向の全長にわたって形成し、前記凸条の幅と高さを凹溝の幅と上下深さよりも小さく設定し、前記瓦桟の下面で凹溝を挟む両側の位置に、凹溝に対して直交する排水用の切欠き部を長さ方向に一定間隔で設け、この切欠き部は、凹溝よりも浅くその上面が下方へ湾曲する膨出面になっている樹脂製瓦桟。
【請求項２】
上記切欠き部は、瓦桟の長さ方向に沿う幅が、瓦桟の全幅の０．８〜１．０倍の範囲に設定され、この切欠き部の上面に形成した下方への膨出面は、下方への最大膨出量が切欠き部の幅に対して１／３０〜１／６００の間に設定されている請求項１に記載の樹脂製瓦桟。
【請求項３】
上記凸条の棟側上端コーナと瓦桟の棟側上端コーナを結ぶ線が、水平線に対して１０°〜８°になるように設定されている請求項１又は２に記載の樹脂製瓦桟。
【請求項４】
上記瓦桟と凸条の上面に滑り止めが施されている請求項１乃至３の何れかに記載の樹脂製瓦桟。
【発明の詳細な説明】
【技術分野】
【０００１】
この発明は、屋根上に瓦を葺くために用いる樹脂製瓦桟、更に詳しくは、野地面上に浸入した雨水の水抜きをより円滑にすると共に、引掛けた瓦による撓みの発生がない瓦桟に関する。
【背景技術】
【０００２】
図４のように、屋根上に瓦を葺く場合、一般には木製の角材からなる瓦桟１が用いられ、野地板上にルーフィングを施した野地面２上に瓦桟１を横方向に沿って載置し、瓦３の上端屈曲部３ａを瓦桟１に引掛けた状態で、瓦３の釘孔から瓦桟１及び野地面２に向けて釘４を打ち込むことで固定するようにしている。
【０００３】
ところで、木製の瓦桟１は、製材の条件によって反りなどが発生し、経時的に瓦３が浮いたりずれるということがあり、また、木目の間に釘４を打ち込むと割れが発生すると共に、施工後、瓦３の間から浸入した雨水によって腐食してしまい、長期にわたって必要な機能を維持することができないという問題がある。
【０００４】
また、断面略角形の瓦桟１においては、図４で示したように、先端の屈曲部３ａを瓦桟１に引掛けた瓦３は、その下面が瓦桟１の棟側コーナの一箇所にだけ接触することになり、これにより、瓦桟１が瓦３で側面部を回転方向に引っ張られるようなことになり、これによって、固定用の釘４に負担がかかって経時的に緩みが生じ、野地面２に固定した瓦桟１に撓みが発生し、施工後の瓦３にずれが発生するという問題もある。
【０００５】
このような木製瓦桟の問題点を解決するため、発泡樹脂を用いて略角形の棒状に押出し成形され、その内部に金属補強材を埋設し、下面に長さ方向と直交する水抜き用の切欠き部を設けた構造の瓦桟が提案されている（例えば、特許文献１乃至３参照）。
【特許文献１】実公平６−１００２２号公報
【特許文献２】特許第３７１１００４号公報
【特許文献３】特許第３９４０１００号公報
【発明の開示】
【発明が解決しようとする課題】
【０００６】
上記のような発泡樹脂製の瓦桟は、木製瓦桟の問題点を一部解決できたが、以下に列挙するような新たな問題が見出された。
【０００７】
（１）上記した発泡樹脂製の瓦桟は、金属補強材を用いているためコストアップになる。
（２）金属補強材を用いているため、瓦桟固定用の釘と電蝕を生じさせ、釘の寿命を低下させることになる。
（３）発泡樹脂と金属補強材が一体に成形されているため、リサイクルに適さない。
（４）瓦桟の下面に設けた切欠き部は、水の抜けが良すぎるため、瓦の間から野地面上に浸入した雨水が瓦桟に対して棟側に貯まった場合、軒側への水の流れが断続的になってしまい、その結果、瓦桟の棟側に島状の残水を形成することになり、いつまでたっても野地面が乾かない湿潤状態になると、野地面は細菌の発生を促し、悪臭や疫病の発生原因となる。
【０００８】
そこで、この発明の課題は、上記した樹脂製瓦桟の問題点を解決するため、発泡樹脂単体の使用により、コスト的に安価でリサイクルに対応可能となり、しかも、野地面上での残水の発生がなく、引掛けた瓦による撓みの発生もない樹脂製瓦桟を提供することにある。
【課題を解決するための手段】
【０００９】
上記のような課題を解決するため、この発明は、発泡合成樹脂を用いて断面略角形に押出し成形された瓦桟であって、この瓦桟の上面で幅方向の中央位置に凸条と下面の幅方向中央位置に凹溝を長さ方向の全長にわたって形成し、前記凸条の幅と高さを凹溝の幅と上下深さよりも小さく設定し、前記瓦桟の下面で凹溝を挟む両側の位置に、凹溝に対して直交する排水用の切欠き部を長さ方向に一定間隔で設け、この切欠き部は、凹溝よりも浅くその上面が下方へ湾曲する膨出面になっている構成を採用したものである。
【００１０】
上記切欠き部は、瓦桟の長さ方向に沿う幅が、瓦桟の全幅の０．８〜１．０倍の範囲に設定され、この切欠き部の上面に形成した下方への膨出面は、下方への最大膨出量が切欠き部の幅に対して１／３０〜１／６００の間に設定されている構造とすることができる。
【００１１】
また、上記凸条の棟側上端コーナと瓦桟の棟側上端コーナを結ぶ線が、水平線に対して１０°〜８°になるように設定されているようにしたり、上記瓦桟と凸条の上面に滑り止めが施されている構造とすることができる。
【００１２】
ここで、上記瓦桟の形成材料である発泡樹脂としては例えばポリスチレンを例示することができ、この瓦桟は使用する瓦に応じてその断面の大きさを設定すればよいと共に、上記瓦桟と凸条の上面に設けた滑り止めは、幅方向に並ぶ小さなピッチの凹凸を長さ方向に沿って設けることにより形成することができる。
【発明の効果】
【００１３】
この発明によると、発泡樹脂単体で瓦桟を押出し成形したので、他の材料が不要になるため、コスト的に安価でリサイクルに対応可能となり、金属部材を含まないため瓦固定釘の電蝕発生を防ぐことができる。
【００１４】
また、瓦桟の上面に凸条を設けたので、瓦桟を野地面上に固定した状態で、瓦は瓦桟の棟側コーナと凸条の棟側コーナの二箇所に接触して支持されることになり、これにより、瓦の接触面が増大し、瓦桟が瓦で側面部を回転方向に引っ張られて固定用釘に緩みを発生させるようなことがなくなり、従って、引掛けた瓦による撓みの発生がなく、施工後の瓦がずれるようなことのないよう、安定した瓦の固定が可能になる。
【００１５】
更に、瓦桟の上面に凸条と下面に凹溝を設け、前記凸条の幅と高さを凹溝の幅と上下深さよりも小さく設定したので、瓦桟の運搬時に瓦桟を上下に重ねれば、凸条と凹溝が嵌まり合い、運搬時のズレの発生がないので、地上から屋根上への運搬時には、特に、ズレの発生に起因する製品の脱落発生を防ぐことができ、しかも、梱包が簡略化できるので、昨今、現場でのゴミをできる限り減らそうとする時勢に沿うものである。
【００１６】
また、瓦の隙間から浸入した雨水が野地面を流れ、野地面と瓦桟の棟側の壁面によって形成された部分に溜まると、瓦桟の下面で凹溝に対して直交するよう設けた排水用の切欠き部の部分から軒側に流れだすが、この切欠き部は、凹溝よりも浅くその上面が下方へ湾曲する膨出面になっているので、瓦桟を抜ける水の勢いを抑えることができ、これによって、瓦桟の下面に設けた凹溝に雨水を一旦貯水した後、軒側の切欠き部から流出させることで、緩やかに絶え間なく排水を行うことができ、野地面上での棟側への残水の発生をなくし、野地面の湿潤状態による細菌の発生や悪臭や疫病の発生を抑えることができる。
【発明を実施するための最良の形態】
【００１７】
以下、この発明の実施の形態を添付図面に基づいて説明する。
【００１８】
図１乃至図３で示したような、瓦桟１１は、発泡樹脂を用いて断面略角形で長い棒状に押出し成形され、この瓦桟１１の上面で幅方向の中央位置に凸条１２と下面の幅方向中央位置に凹溝１３が長さ方向の全長にわたって形成されている。
【００１９】
上記凸条１２の幅と高さは、凹溝１３の幅と上下深さよりも小さく設定され、上記瓦桟の下面で凹溝１３を挟む両側の位置に、凹溝１３に対して直交する排水用の切欠き部１４が長さ方向に一定間隔で設けられ、この切欠き部１４は、凹溝１３よりも浅くその上面が下方へ緩やかに-湾曲する膨出面１５になっている。
【００２０】
上記瓦桟１１と凸条１２の上面は、幅方向に並ぶ小さなピッチの凹凸を長さ方向に沿って設けることにより滑り止め面１６に形成されている。
【００２１】
上記瓦桟１１の形成材料である発泡樹脂として、強度、コスト、リサイクルの面から例えばポリスチレンを用い、この瓦桟１１は使用する瓦３に応じて断面の大きさを設定すればよいが、一例として、幅３０ｍｍ、高さ１５ｍｍ程度の断面略角形に押出し成形され、上記凹溝１３は幅が１０ｍｍ、上下深さが５ｍｍとし、上記凸条１２は瓦桟１１を上下に重ねたとき、前記凹溝１３に嵌まり込む程度の高さと幅に形成されていると共に、図２（ｂ）のように、この凸条１２の棟側上端コーナと瓦桟１１の棟側上端コーナを結ぶ線ａが、水平線に対して１０°〜８°になるよう設定することによって、瓦３の野地面２に対する角度と、前記凸条１２のコーナと瓦桟１１のコーナを結ぶ線ａが略等しくなるため、より確実な機能を発揮することができる。
【００２２】
上記のように、凸条１２を上記凹溝１３に嵌まり込む程度の高さと幅に形成することにより、瓦桟１１の運搬時に瓦桟１１を上下に重ねれば、凸条１２と凹溝１３が嵌まり合い、運搬時のズレの発生がないので、地上から屋根上への運搬時には、特に、ズレの発生に起因する瓦桟１１の脱落発生を防ぐことができ、しかも、梱包が簡略化できるという利点がある。
【００２３】
また、上記凸条１２の上端コーナは、緩やかな弧状に形成されている。即ち、瓦３の裏面は均一な平坦面にはなっていないので、凸条１２の上端コーナが角張っていると、瓦３の裏面形状に対する設置面を馴染ませることが困難であるが、凸条１２の上端コーナが緩やかな弧状であれば、瓦３の裏面の状況に対して、設置面を馴染ませることができる。
【００２４】
しかも、瓦３を施工した時、作業者が瓦３の上を歩いた場合、凸条１２の上端コーナが角張っていると、前記上端コーナ部分に圧力が集中してしまい、瓦３の割れを誘発することになる。
【００２５】
これに対して、凸条１２の上端コーナが緩やかな弧状であれば、上記圧力の集中を緩和することができ、瓦３の割れを防止することができる。
【００２６】
上記瓦桟１１の下面に設けた切欠き部１４は、瓦桟１１の長さ方向に沿う幅が、瓦桟の全幅の０．８〜１．０倍の範囲に設定され、この切欠き部１４の上面に形成した下方への膨出面１５は、下方への最大膨出量が切欠き部１４の幅に対して１／３０〜１／６００の間に設定されている。
【００２７】
この発明の瓦桟１１は上記のような構成であり、屋根上に瓦を葺くには、図３のように、野地板上にルーフィングを施した野地面２上に瓦桟１１を横方向に沿って載置し、瓦３の上端屈曲部３ａを瓦桟１１に引掛けた状態で、瓦３の釘孔から瓦桟１１及び野地面２に向けて釘４を打ち込むことで固定する。
【００２８】
瓦桟１１はその上面に凸条１２を設けてあるので、図３で示したように、瓦桟１１を野地面２上に固定した状態で、瓦３は瓦桟１１の棟側コーナと凸条１２の棟側コーナの二箇所に接触することになり、これにより、瓦３の接触面が増大し、瓦桟１１が瓦３で側面部を回転方向に引っ張られるようなことがなく、これによって、固定用の釘４に緩みが生じないと共に、野地面２に固定した瓦桟１１に撓みの発生がなく、施工後の瓦３がずれるようなことのないよう、安定した瓦の固定が可能になる。
【００２９】
ところで、瓦３の隙間から雨水が浸入した場合、雨水は野地面２を流れ、野地面２と瓦桟１１の棟側の壁面によって形成された部分に一時的に溜まることになるが、瓦桟１１の下面には凹溝１３に対して直交するよう排水用の切欠き部１４が設けてあるので、雨水は棟側の切欠き部１４から軒側の切欠き部１４に流れだすことになる。
【００３０】
ここで、瓦桟１１の下面をフラットにし、この下面に対して単に排水用の切欠き部を幅方向に設け、この切欠き部を凹溝よりも浅くその上面が下方へ湾曲する膨出面にしただけの構造では、雨水の流速が遅くなっているため、直ぐに切欠き部の容積は雨水で満たされてしまい、棟側の野地面は雨水で満たされてしまうことになる。
【００３１】
そこで、この発明の瓦桟１１は、瓦桟１１の下面に長手方向に延びる凹溝１３を形成し、その両側に切欠き部１４を設けることにより、棟側切欠き部１４から浸入した雨水を凹溝１３内に一時的に貯水した後、再度軒側の切欠き部１４で雨水を排水することで、雨水を全体の繋がり状態を維持したまま流動させ、雨水の流れの分断部分をなくし、効率よく確実に排水することができる。なお、このような水の現象については、例えば、特許第３５０８７６１号公報に記載されている。
【００３２】
その結果、瓦桟１１の棟側における野地面２上に島状の残水が発生するのを防ぐことができ、野地面２が雨水で濡れてしまっても直ぐに乾燥状態に戻すことができる。
【００３３】
更に、この発明の瓦桟１１は、下面の両側に切欠き部１４を設け、この切欠き部１４を凹溝１３よりも浅くし、その上面に形成した膨出面１５を、下方への最大膨出量が切欠き部１４の幅に対して１／３０〜１／６００の間に設定してあるので、雨水の流れを損なわず、流速を低下させることができる。
【００３４】
また、この発明の瓦桟１１は、瓦桟１１の長さ方向に沿う切欠き部１４の幅を、瓦桟１１の全幅に対して０．８〜１．０倍の間に設定してあるので、瓦桟１１の曲げに対する剛性（撓みに対する強さ）と、切欠き部１４の良好な水抜け性能を両立させることができる。
【００３５】
なお、切欠き部１４の幅を瓦桟１１の全幅に対して、１．０倍以上に設定すると、瓦桟１１の剛性が低下すると共に、０．８倍以下に設定すると、表面張力によって排水が困難になり、排水性能を損なうことになる。
【図面の簡単な説明】
【００３６】
【図１】この発明の樹脂製瓦桟を示す斜視図
【図２】（ａ）はこの発明の樹脂製瓦桟を示す正面図、（ｂ）は（ａ）の矢印ｂ−ｂでの拡大した縦断側面図
【図３】この発明の樹脂製瓦桟を用いて瓦を固定した使用状態の縦断側面図
【図４】従来の木製瓦桟を用いて瓦を固定した使用状態の縦断側面図
【符号の説明】
【００３７】
１１      瓦桟
１２      凸条
１３      凹溝
１４      切欠き部
１５      膨出面
１６      滑り止め面
【図１】
0005064182.tif 000002
【図２】
0005064182.tif 000003
【図３】
0005064182.tif 000004
【図４】
0005064182.tif 000005